(57)【要約】本発明は、電磁フィルムの配線引き出し構造、直下型バックライト表示モジュール及びディスプレイを開示する。該電磁フィルムの配線引き出し構造は、背面板構造と、電磁タッチ構造と、外枠構造と、を含み、該電磁タッチ構造は、該背面板構造の上方に設けられる拡散板と、該拡散板に対応して設けられる電磁フィルムと、該背面板構造の外側に設けられる電磁タッチ制御基板と、該電磁フィルムと該電磁タッチ制御基板とを接続するフレキシブル電磁回路と、を含み、該外枠構造は、該背面板構造の外側に外装され、該背面板構造と共に密封枠構造を形成し、該拡散板、該電磁フィルム及び該フレキシブル電磁回路は、何れも該密封枠構造の内部に位置し、該電磁タッチ制御基板は、該密封枠構造の外部に位置する。本発明に係る技術によれば、電磁フィルムの配線を容易に引き出すことができ、電磁タッチ制御基板との接続を容易に実現することができる。【選択図】図１
2021520576.tif 000002
【特許請求の範囲】
【請求項１】
背面板構造と、電磁タッチ構造と、外枠構造と、を含み、
前記電磁タッチ構造は、
前記背面板構造の上方に設けられる拡散板と、
前記拡散板に対応して設けられる電磁フィルムと、
前記背面板構造の外側に設けられる電磁タッチ制御基板と、
前記電磁フィルムと前記電磁タッチ制御基板とを接続するフレキシブル電磁回路と、を含み、
前記外枠構造は、前記背面板構造の外側に外装され、前記背面板構造と共に密封枠構造を形成し、
前記拡散板、前記電磁フィルム及び前記フレキシブル電磁回路は、何れも前記密封枠構造の内部に位置し、
前記電磁タッチ制御基板は、前記密封枠構造の外部に位置することを特徴とする電磁フィルムの配線引き出し構造。
【請求項２】
前記フレキシブル電磁回路は、
前記電磁フィルムの端部に接続され、前記背面板構造に向かって曲がって延在するフレキシブル配線引き出し回路基板と、
前記フレキシブル配線引き出し回路基板と前記電磁タッチ制御基板とを接続する連結回路基板と、を含み、
前記フレキシブル配線引き出し回路基板は、前記外枠構造の内側に位置し、
前記連結回路基板は、前記背面板構造の内側に設けられることを特徴とする請求項１に記載の電磁フィルムの配線引き出し構造。
【請求項３】
前記フレキシブル電磁回路は、
前記電磁フィルムの一端又は両端に接続される複数の前記フレキシブル配線引き出し回路基板と、
複数の前記フレキシブル配線引き出し回路基板に接続される少なくとも１つの前記連結回路基板と、を含むことを特徴とする請求項２に記載の電磁フィルムの配線引き出し構造。
【請求項４】
前記フレキシブル電磁回路は、前記連結回路基板に接続される接続線をさらに含み、
前記接続線は、前記背面板構造を通って前記電磁タッチ制御基板に接続されることを特徴とする請求項２又は３に記載の電磁フィルムの配線引き出し構造。
【請求項５】
前記背面板構造は、背面板メインボードと、前記背面板メインボードの両側にそれぞれ斜めに設けられる傾斜板と、を含み、
前記外枠構造は、両側の前記傾斜板の外側に外装され、
前記フレキシブル配線引き出し回路基板は、前記電磁フィルムの端部から前記外枠構造の内側を通って前記傾斜板の内側に曲がって延在し、
前記連結回路基板は、前記傾斜板の内側に位置し、
前記接続線は、前記背面板メインボードを通って前記電磁タッチ制御基板に接続されることを特徴とする請求項４に記載の電磁フィルムの配線引き出し構造。
【請求項６】
前記背面板構造の内側に設けられ、前記拡散板に対応する反射シートをさらに含み、
前記フレキシブル配線引き出し回路基板、前記連結回路基板及び前記接続線は、何れも前記反射シートと前記背面板構造との間に設けられることを特徴とする請求項５に記載の電磁フィルムの配線引き出し構造。
【請求項７】
前記反射シートの形状と前記背面板構造の形状とは互いに対応し、
前記反射シートは、前記背面板メインボードに対応する反射メインシートと、前記反射メインシートの両側にそれぞれ斜めに設けられる反射サイドシートと、を含み、
前記反射サイドシートは、前記傾斜板に一対一で対応し、
前記フレキシブル配線引き出し回路基板は、前記反射サイドシートと前記傾斜板との間に曲がって延在し、
前記連結回路基板は、前記傾斜板と前記反射サイドシートとの間に位置し、
前記接続線は、前記反射メインシートと前記背面板メインボードとの間に位置することを特徴とする請求項６に記載の電磁フィルムの配線引き出し構造。
【請求項８】
前記電磁フィルムが前記拡散板の上部に設けられ、前記電磁タッチ構造が前記電磁フィルムに設けられる光学フィルムシートをさらに含み、或いは、
前記電磁フィルムが前記拡散板の底部に設けられ、前記電磁タッチ構造が前記拡散板に設けられる光学フィルムシートをさらに含むことを特徴とする請求項２又は３に記載の電磁フィルムの配線引き出し構造。
【請求項９】
請求項１乃至８の何れかに記載の電磁フィルムの配線引き出し構造を含むことを特徴とする直下型バックライト表示モジュール。
【請求項１０】
請求項９に記載の直下型バックライト表示モジュールを含むことを特徴とするディスプレイ。
【発明の詳細な説明】
【技術分野】
【０００１】
本発明は、ＬＥＤ表示装置の技術分野に関し、特に電磁フィルムの配線引き出し構造、直下型バックライト表示モジュール及びディスプレイに関する。
【背景技術】
【０００２】
従来技術では、直下型バックライトディスプレイは、ディスプレイとしてのみ使用でき、単一の機能を有する。入力技術及び表示技術の発展に伴い、通常の液晶ディスプレイとタッチ装置とを組み合わせることが業界の発展トレンドとなっている。また、例えばオリジナルの手書きの入力効果などのタッチ入力の体験への業界の要求が益々高くなっているため、電磁タッチパネル技術が広く使用され、電磁タッチパネル技術も直下型バックライトディスプレイに直接適用されている。また、バックライト表示モジュールでは、電磁フィルムを接続線を介して電磁タッチ制御基板に接続する必要がある。しかし、電磁フィルムをバックライト表示モジュールの内部に設ける必要があり、電磁タッチ制御基板をバックライト表示モジュールの外部に設ける必要がある。一方、従来技術のバックライト表示モジュールが一般的に一体化して設けられているため、バックライト表示モジュールの内部に位置する電磁フィルムの配線を引き出すことが困難である。よって、バックライト表示モジュールの完全性を損なうことなく、且つバックライト表示モジュールの表示効果に影響を与えることなく、電磁フィルムと電磁タッチ制御基板とを接続することができなくなる。
【発明の概要】
【発明が解決しようとする課題】
【０００３】
本発明は、上記問題点を鑑み、電磁フィルムの配線を容易に引き出すことができ、電磁タッチ制御基板との接続を容易に実現することができる、電磁フィルムの配線引き出し構造、直下型バックライト表示モジュール及びディスプレイを提供する。
【課題を解決するための手段】
【０００４】
本発明の１つの態様では、背面板構造と、電磁タッチ構造と、外枠構造と、を含み、前記電磁タッチ構造は、前記背面板構造の上方に設けられる拡散板と、前記拡散板に対応して設けられる電磁フィルムと、前記背面板構造の外側に設けられる電磁タッチ制御基板と、前記電磁フィルムと前記電磁タッチ制御基板とを接続するフレキシブル電磁回路と、を含み、前記外枠構造は、前記背面板構造の外側に外装され、前記背面板構造と共に密封枠構造を形成し、前記拡散板、前記電磁フィルム及び前記フレキシブル電磁回路は、何れも前記密封枠構造の内部に位置し、前記電磁タッチ制御基板は、前記密封枠構造の外部に位置することを特徴とする電磁フィルムの配線引き出し構造を提供する。
【０００５】
背面板構造と外枠構造とで形成された密封枠構造により、拡散板及び電磁フィルムなどの構成要素を該密封枠構造の内部に取り囲み、密封枠構造の内部にフレキシブル電磁回路を設けることで、該密封枠構造の内部に位置する電磁フィルムと該密封枠構造の外部に位置する電磁タッチ制御基板とを接続することができる。フレキシブル電磁回路がフレキシブル回路の曲げ、折り畳み可能な特性を有するため、該密封枠構造、拡散板及び電磁フィルムの構造上の特徴に応じてフレキシブル電磁回路を曲げって配置し、該密封枠構造、拡散板及び電磁フィルムに嵌合するように配置することができるため、密封枠構造の内部に位置する電磁フィルムの配線を容易に引き出すことができる。よって、その電磁タッチ機能を容易に実現することができ、密封枠構造の完全性を損なうことがなく、さらに、構造全体の光学性能及び表示効果に影響を与えることがない。
【０００６】
本発明の更なる態様は以下の通りである。
【０００７】
さらに、前記フレキシブル電磁回路は、前記電磁フィルムの端部に接続され、前記背面板構造に向かって曲がって延在するフレキシブル配線引き出し回路基板と、前記フレキシブル配線引き出し回路基板と前記電磁タッチ制御基板とを接続する連結回路基板と、を含み、前記フレキシブル配線引き出し回路基板は、前記外枠構造の内側に位置し、前記連結回路基板は、前記背面板構造の内側に設けられる。
【０００８】
さらに、前記フレキシブル電磁回路は、前記電磁フィルムの一端又は両端に接続される複数の前記フレキシブル配線引き出し回路基板と、複数の前記フレキシブル配線引き出し回路基板に接続される少なくとも１つの前記連結回路基板と、を含む。
【０００９】
さらに、前記フレキシブル電磁回路は、前記連結回路基板に接続される接続線をさらに含み、前記接続線は、前記背面板構造を通って前記電磁タッチ制御基板に接続される。
【００１０】
さらに、前記背面板構造は、背面板メインボードと、前記背面板メインボードの両側にそれぞれ斜めに設けられる傾斜板と、を含み、前記外枠構造は、両側の前記傾斜板の外側に外装され、前記フレキシブル配線引き出し回路基板は、前記電磁フィルムの端部から前記外枠構造の内側を通って前記傾斜板の内側に曲がって延在し、前記連結回路基板は、前記傾斜板の内側に位置し、前記接続線は、前記背面板メインボードを通って前記電磁タッチ制御基板に接続される。
【００１１】
さらに、前記背面板構造の内側に設けられ、前記拡散板に対応する反射シートをさらに含み、前記フレキシブル配線引き出し回路基板、前記連結回路基板及び前記接続線は、何れも前記反射シートと前記背面板構造との間に設けられる。
【００１２】
さらに、前記反射シートの形状と前記背面板構造の形状とは互いに対応し、前記反射シートは、前記背面板メインボードに対応する反射メインシートと、前記反射メインシートの両側にそれぞれ斜めに設けられる反射サイドシートと、を含み、前記反射サイドシートは、前記傾斜板に一対一で対応し、前記フレキシブル配線引き出し回路基板は、前記反射サイドシートと前記傾斜板との間に曲がって延在し、前記連結回路基板は、前記傾斜板と前記反射サイドシートとの間に位置し、前記接続線は、前記反射メインシートと前記背面板メインボードとの間に位置する。
【００１３】
さらに、前記電磁フィルムが前記拡散板の上部に設けられ、前記電磁タッチ構造が前記電磁フィルムに設けられる光学フィルムシートをさらに含み、或いは、前記電磁フィルムが前記拡散板の底部に設けられ、前記電磁タッチ構造が前記拡散板に設けられる光学フィルムシートをさらに含む。
【００１４】
また、本発明は、上記の電磁フィルムの配線引き出し構造を含む直下型バックライト表示モジュールをさらに提供する。
【００１５】
また、本発明は、上記の直下型バックライト表示モジュールを含むディスプレイをさらに提供する。
【００１６】
本発明の有利な効果は以下の通りである。フレキシブル回路の曲げ、変形可能な特性を有するフレキシブル電磁回路を設けることで、密封枠構造の内部で電磁フィルムの配線引き出しを容易に実現することができる。よって、密封枠構造、拡散板及び反射シートの内側に沿ってフレキシブル電磁回路の配線を配置することができるため、構造全体の完全性を損なうことがなく、直下型バックライト表示モジュール及びディスプレイの光学性能及び表示効果に影響を与えることがない。
【図面の簡単な説明】
【００１７】
【図１】本発明に係る電磁フィルムの配線引き出し構造の構成を示す概略的なブロック図である。
【符号の説明】
【００１８】
１００    背面板構造
１１０    背面板メインボード
１２０    傾斜板
２００    拡散板
３００    電磁フィルム
４００    光学フィルムシート
５００    反射シート
６００    外枠構造
７００    フレキシブル電磁回路
７１０    フレキシブル配線引き出し回路基板
７２０    連結回路基板
７３０    接続線
８００    電磁タッチ制御基板
【発明を実施するための形態】
【００１９】
以下は本発明の実施例を詳細に説明する。全ての実施例の例は図面に示されており、各図における同一の符号は同一の部分を表す。以下の図面を参照しながら説明される実施例は、単なる本発明を説明するための例示的なものであり、本発明を制限するものではない。
【００２０】
図１に示すように、本発明の実施例に係る電磁フィルムの配線引き出し構造は、背面板構造１００、電磁タッチ構造、及び外枠構造６００を含む。背面板構造１００は電磁タッチ構造及び外枠構造６００を支持することができ、電磁タッチ構造は電磁タッチ機能を提供し、外枠構造６００は周囲側から電磁タッチ構造及び背面板構造１００を密封、支持することができる。
【００２１】
具体的には、電磁タッチ構造は、背面板構造１００の上方に設けられる拡散板２００、拡散板２００に対応して設けられる電磁フィルム３００、背面板構造１００の外側に設けられる電磁タッチ制御基板８００、及び電磁フィルム３００と電磁タッチ制御基板８００とを接続するフレキシブル電磁回路７００を含む。また、外枠構造６００は、背面板構造１００の外側に外装され、背面板構造１００と共に密封枠構造を形成し、拡散板２００、電磁フィルム３００及びフレキシブル電磁回路７００は何れも該密封枠構造の内部に位置し、電磁タッチ制御基板８００は該密封枠構造の外部に位置する。このように、背面板構造１００と外枠構造６００とで形成された密封枠構造により、拡散板２００及び電磁フィルム３００などの構成要素を該密封枠構造の内部に取り囲み、密封枠構造の内部にフレキシブル電磁回路７００を設けることで、該密封枠構造の内部に位置する電磁フィルム３００と該密封枠構造の外部に位置する電磁タッチ制御基板８００とを接続することができる。フレキシブル電磁回路７００がフレキシブル回路の曲げ、折り畳み可能な特性を有するため、該密封枠構造、拡散板２００及び電磁フィルム３００の構造上の特徴に応じてフレキシブル電磁回路７００を曲げって配置し、該密封枠構造、拡散板２００及び電磁フィルム３００に嵌合するように配置することができるため、密封枠構造の内部に位置する電磁フィルム３００の配線を容易に引き出すことができる。よって、その電磁タッチ機能を容易に実現することができ、密封枠構造の完全性を損なうことがなく、さらに、構造全体の光学性能及び表示効果に影響を与えることがない。
【００２２】
また、フレキシブル電磁回路７００は、電磁フィルム３００の端部に接続され、背面板構造１００に向かって曲がって延在するフレキシブル配線引き出し回路基板７１０、及びフレキシブル配線引き出し回路基板７１０と電磁タッチ制御基板８００とを接続する連結回路基板７２０を含む。フレキシブル配線引き出し回路基板７１０は外枠構造６００の内側に位置し、連結回路基板７２０は背面板構造１００の内側に設けられる。電磁フィルム３００の端部にフレキシブル配線引き出し回路基板７１０を設け、背面板構造１００の内側に連結回路基板７２０を設け、フレキシブル配線引き出し回路基板７１０の湾曲可能な柔軟性の特性を利用することで、電磁フィルム３００の配線引き出し回路、即ちフレキシブル配線引き出し回路基板７１０を電磁フィルム３００の端部から曲げて背面板構造１００の内側に容易に連結することができるため、外枠構造６００及び背面板構造１００の内側で電磁フィルム３００の配線を容易に引き出すことができ、電磁フィルムタッチ構造及び密封枠構造の完全性を損なうことがなく、配線引き出しを容易に実現することができる。さらに、上記のフレキシブル電磁回路７００をフレキシブル配線引き出し回路基板７１０及び連結回路基板７２０として設けることで、フレキシブル配線引き出し回路基板７１０の柔軟性の特性を利用して電磁フィルム３００の配線を引き出すことができると共に、連結回路基板７２０を通常の回路基板として設けることができるため、フレキシブル電磁回路７００のコストを削減することができる。
【００２３】
さらに、上記のフレキシブル電磁回路は、電磁フィルム３００の一端又は両端に接続される複数のフレキシブル配線引き出し回路基板７１０、及び複数のフレキシブル配線引き出し回路基板７１０に接続される少なくとも１つの連結回路基板７２０を含んでもよい。また、拡散板２００に１つ又は複数の電磁フィルム３００を設けてもよく、これらの電磁フィルム３００は拡散板２００の異なる位置にあってもよい。即ち、複数のフレキシブル配線引き出し回路基板７１０を用いて１つ又は複数の電磁フィルム３００について接続及び配線引き出しを行ってもよく、これらのフレキシブル配線引き出し回路基板７１０をこれらの電磁フィルムの一端、両端又は複数の端部に設けてもよく、これによって、１つの電磁フィルム３００について複数箇所の配線引き出しを実現することができ、或いは複数の電磁フィルム３００について配線引き出しをそれぞれ実現することができる。また、１つ又は複数の連結回路基板７２０を用いてこれらのフレキシブル配線引き出し回路基板７１０について連結を行ってもよく、これによって、異なる位置にあるフレキシブル配線引き出し回路基板７１０について連結を行うことができ、連結を自由かつ便利に行うことができる。さらに、連結回路基板７２０を背面板構造１００の内側に予め固定してもよく、これによって、組み立てプロセスでは単にフレキシブル配線引き出し回路基板７１０を連結回路基板７２０に接続すれば済むため、簡単で便利である。さらに、フレキシブル配線引き出し回路基板７１０を両端にプラグを有する回路構造としてもよく、これによって、プラグによりフレキシブル配線引き出し回路基板７１０を電磁フィルム３００及び連結回路基板７２０に容易に挿入することができる。
【００２４】
フレキシブル電磁回路７００は、連結回路基板７２０に接続される接続線７３０をさらに含む。接続線７３０は、背面板構造１００を通って電磁タッチ制御基板８００に接続されてもよい。これによって、フレキシブル配線引き出し回路基板７１０、連結回路基板７２０及び接続線７３０により電磁フィルム３００と電磁タッチ制御基板８００との接続を実現し、電磁タッチ機能を実現する。また、接続線７３０は、直接背面板構造１００を通り、即ち、配線が通過するように背面板構造１００に穴を開けてもよい。或いは、接続線７３０は、背面板構造１００をバイパスし、背面板構造の隙間を通ってもよい。これによって、連結回路基板７２０を背面板構造１００に予め固設し、接続線を設けることでフレキシブル配線引き出し回路基板７１０に接続された連結回路基板７２０と電磁タッチ制御基板８００とを容易に接続することができるため、電磁フィルム３００の配線引き出しを容易に行うことができる。
【００２５】
さらに、背面板構造１００は、背面板メインボード１１０、及び背面板メインボード１１０の両側にそれぞれ斜めに設けられる傾斜板１２０を含む。外枠構造６００は、上記の密封枠構造を形成するように、両側の傾斜板１２０の外側に外装される。また、フレキシブル配線引き出し回路基板７１０は、電磁フィルム３００の端部から外枠構造６００の内側（主に電磁フィルム３００の端部に面する側を指す）を通って傾斜板１２０の内側（主に拡散板２００に面する側を指す）に曲がって延在し、連結回路基板７２０は、傾斜板１２０の内側に位置し、接続線７３０は、背面板メインボード１１０を通って電磁タッチ制御基板８００に接続されてもよい。即ち、背面板構造１００、電磁フィルム３００、拡散板２００及び外枠構造６００の構造上の特徴によれば、これらの構造の内側に沿ってフレキシブル配線引き出し回路基板７１０及び連結回路基板７２０を設けることで、構造全体の構造配置に影響を与えることがなく、その元の構造の密封、接続及び支持の機能に影響を与えることがなく、その元の構造の光学性能及び表示効果に影響を与えることがない。本実施例では、連結回路基板７２０は、背面板構造１００の傾斜板１２０の内側に予め固定されてもよい。
【００２６】
さらに、該電磁フィルムの配線引き出し構造は、背面板構造１００の内側（主に拡散板２００に面する側を指す）に設けられ、拡散板２００に対応する反射シート５００をさらに含む。フレキシブル配線引き出し回路基板７１０、連結回路基板７２０及び接続線７３０は、何れも反射シート５００と背面板構造１００との間に設けられる。即ち、上記のフレキシブル電磁回路７００を反射シート５００と背面板構造１００との間に介設することで、配線が便利になり、光学構造及び構造全体の配置に影響を与えることがなく、構造の光学性能及び表示効果に影響を与えることがない。さらに、反射シート５００の形状と背面板構造１００の形状とは互いに対応する。具体的には、反射シート５００は、背面板メインボード１１０に対応する反射メインシート、及び反射メインシートの両側にそれぞれ斜めに設けられる反射サイドシートを含む。該反射サイドシートは、傾斜板１２０に一対一で対応し、フレキシブル配線引き出し回路基板７１０は、反射サイドシートと傾斜板１２０との間に曲がって延在し、連結回路基板７２０は、傾斜板１２０と反射サイドシートとの間に位置し、接続線７３０は、反射メインシートと背面板メインボードとの間に位置する。これによって、反射シート５００の構造を背面板構造１００の構造に対応するように維持することができるため、フレキシブル電磁回路７００の位置決め及び配線を容易に行うことができる。
【００２７】
また、電磁フィルム３００が拡散板２００の上部（拡散板２００の背面板構造１００とは反対の側を指す）に設けられ、該電磁タッチ構造が電磁フィルム３００に設けられる光学フィルムシート４００をさらに含んでもよい。或いは、電磁フィルム３００が拡散板２００の底部（拡散板２００の背面板構造１００に面する側を指す）に設けられ、該電磁タッチ構造が拡散板２００に設けられる光学フィルムシート４００をさらに含んでもよい。即ち、電磁フィルム３００が拡散板２００の上方又は下方に設けられてもよく、該電磁タッチ構造が電磁フィルム３００又は拡散板２００に設けられた光学フィルムシート４００をさらに含んでもよく、該光学フィルムシートも外枠構造６００の内部に位置する。また、電磁フィルム３００は、完全に嵌合し、或いは枠部で嵌合する形で、拡散板２００の上部又は底部に貼設されてもよい。光学フィルムシート４００を設けることで、光学性能及び表示効果を実現、強化することができ、電磁フィルム３００を保護することができる。
【００２８】
また、本発明は、上記の電磁フィルムの配線引き出し構造を含む直下型バックライト表示モジュールをさらに提供する。さらに、本発明は、上記の直下型バックライト表示モジュールを含むディスプレイをさらに提供する。直下型バックライト表示モジュール及びディスプレイでは、フレキシブル回路の曲げ、変形可能な特性を有するフレキシブル電磁回路を設けることで、密封枠構造の内部で電磁フィルムの配線引き出しを容易に実現することができる。よって、密封枠構造、拡散板及び反射シートの内側に沿ってフレキシブル電磁回路の配線を配置することができるため、構造全体の完全性を損なうことがなく、直下型バックライト表示モジュール及びディスプレイの光学性能及び表示効果に影響を与えることがない。
【００２９】
なお、本実施例では、用語「下」、「上」、「前」、「後」、「左」、「右」、「内部」、「外部」、「上部、「下部」、「一方側」、「他方側」、「一方の端」、「他方の端」などで示される位置関係は、図面に基づいて示される位置関係である。「第１」、「第２」などの用語は、異なる構成部材を区別するためのものである。これらの用語は、単に本発明を説明、或いは簡単に説明するためのものであり、本発明を制限するものではない。
【００３０】
上述した各実施例の各技術的特徴を任意に組み合わせてもよく、簡潔に説明するために、上述した各実施例の各技術的特徴の全ての可能な組み合わせを説明していないが、これらの技術的特徴の組み合せに矛盾がない限り、これらの組み合わせは全て本明細書に記載された範囲に属する。
【００３１】
以上は具体的な実施例を参照しながら本発明の幾つかの態様を説明しているが、上記の説明は、例示的なものに過ぎず、本発明の特許の範囲を限定するものではない。なお、当業者にとって、本発明の趣旨を離脱しない限り、本発明に対して各種の変形及び改良を行ってもよく、これらの変形及び修正も本発明の範囲に属する。よって、本発明の特許の保護範囲は、添付する特許請求の範囲に依るものである。
【図１】
2021520576.tif 000003
【国際調査報告】
2021520576.tif 000004
2021520576.tif 000005
2021520576.tif 000006
2021520576.tif 000007